(57)【要約】【課題】草刈機２１を地面に降ろした状態でエンジン２５をかけるが、エンジン２５が突然かかって回転軸にいきなり大きい動力が伝達されると、草刈機２１が動いてしまい非常に危険である。【解決手段】操作棹２３は２つの挟持部材７に挟持されて、草刈機２１は安定的に保持されており、且つ刈刃２７は地面Ｇから離間しているので、刈刃２７が回転しても地面Ｇに当ることはない。従って、エンジン２５がいきなりかかっても草刈機２１が動いてしまうことはない。従って、作業者や周囲にいる者の安全を確保することができる。【選択図】        図１
2006075004.tif 000002
【特許請求の範囲】
【請求項１】
人力操作用の草刈機の操作棹を挟持する左右一対の挟持部材を有するＵ字形の保持部と、前記保持部を支持する脚部と、前記脚部が連結されたベース部とを備えることを特徴とする草刈機の保持台。
【請求項２】
請求項１に記載した草刈機の保持台において、一対の挟持部材間の寸法は下方へいくに従って小さくなっていることを特徴とする草刈機の保持台。
【請求項３】
請求項１または２に記載した草刈機の保持台において、前記挟持部材の外周部には弾性材が備えられていることを特徴とする草刈機の保持台。
【請求項４】
請求項１から３のいずれかに記載した草刈機の保持台において、ベース部の少なくとも一部には滑り止め部材が設けられていることを特徴とする草刈機の保持台。
【発明の詳細な説明】
【技術分野】
【０００１】
本発明は、人力操作用の草刈機のエンジンを始動したり、エンジンをかけて点検したりする際に、人力操作用の草刈機の操作棹を挟持させて保持する草刈機の保持台に関するものである。
【背景技術】
【０００２】
図１で、符号２１は典型的な人力操作用の草刈機を示す。この草刈機２１は、アルミ製パイプから成る操作棹２３と、操作棹２３の基端側に設けられたエンジン２５と、先端側に設けられた回転式の刈刃２７とを備えている。
操作棹２３内には図示しない回転軸が内装されており、エンジン２５の動力は図示しないクランク軸から回転軸に伝達される。この回転軸の先端側には刈刃２７が連結されている。
操作棹２３の基端寄りには、グリップ部３１と把手部３３が設けられている。また、その近傍に、肩掛け式ベルト３４が取付けられている。先端側には、カバー部３５が設けられている。
上記のような草刈機２１を用いて草刈りを行う場合には、まず、作業者が草刈機２１を地面Ｇに置いた状態で図示しない始動用紐を引いてエンジン２５を始動させる。そして、肩掛け式ベルト３４を肩に掛け、片方の手でグリップ部３１を握り、もう片方の手で把手部３３を握って操作棹２３を操作して回転する刈刃２７で草を刈る。
【発明の開示】
【発明が解決しようとする課題】
【０００３】
上記のようにエンジン２５の始動は、草刈機２１を地面Ｇに置いた状態で行う。その際、スロー回転でエンジン２５がスムーズにかかれば問題無いが、エンジン２５のかかりが悪い場合がある。そのようなときには、アクセルをふかしたりして調整するが、調整中にエンジン２５が突然かかってしまうと、回転軸にいきなり高回転の動力が伝達されて刈刃２７が急に回転することがあり、非常に危険である。さらに刈刃２７が地面Ｇに接触すると草刈機２１が動いてしまうおそれがある。草刈機２１の刈刃２７は、図１に示すように露出しているので、急に回転したり、草刈機２１が動いたりすると作業者のみならず、周囲にいる者も危険に晒されることになる。また、回転している刈刃２７が地面Ｇに落ちている石等に当って刈刃２７が破損するおそれもあり、この際、破片が飛んで周囲の者に当たるおそれもある。
【０００４】
本発明は、上記課題を解決するために、人力操作用の草刈機のエンジンがいきなりかかっても草刈機を安定的に保持でき、周囲の作業者の安全を確保することができる草刈機の保持台を提供することを目的とする。
【課題を解決するための手段】
【０００５】
本発明は上記課題を解決するためになされたものであり、請求項１の発明は、人力操作用の草刈機の操作棹を挟持する左右一対の挟持部材を有するＵ字形の保持部と、前記保持部を支持する脚部と、前記脚部が連結されたベース部とを備えることを特徴とする草刈機の保持台である。
【０００６】
請求項２の発明は、請求項１に記載した草刈機の保持台において、一対の挟持部材間の寸法は下方へいくに従って小さくなっていることを特徴とする草刈機の保持台である。
【０００７】
請求項３の発明は、請求項１または２に記載した草刈機の保持台において、前記挟持部材の外周部には弾性材が備えられていることを特徴とする草刈機の保持台である。
【０００８】
請求項４の発明は、請求項１から３のいずれかに記載した草刈機の保持台において、ベース部の少なくとも一部には滑り止め部材が設けられていることを特徴とする草刈機の保持台である。
【発明の効果】
【０００９】
本発明の草刈機の保持台を地面等に設置し、草刈機の操作棹を挟持部材の間に挟持させて刈刃を地面から離間した状態とし、且つエンジンを地面等に置いた状態にする。刈刃を地面から離間して、草刈機は保持台に安定的に保持されているので、エンジンが突然かかって刈刃が急に回転しても、草刈機が動くことはない。従って、周囲の作業者の安全を確保できる。
【発明を実施するための最良の形態】
【００１０】
本発明の実施の形態に係る草刈機の保持台１を、図面に従って説明する。
草刈機の保持台１の保持部３、脚部１１及びベース部１９は鉄材によって構成されている。
符号３は保持部を示し、この保持部３はＵ字形に形成されて一対の挟持部材７を有している。一対の挟持部材７間の寸法は下方にいくに従って小さくなっている。
符号９は弾性材を示し、この弾性材９は合成ゴム等の滑り止め機能と振動吸収機能とを有する材料により構成されパイプ状をしている。弾性材９は一対の挟持部材７にそれぞれ嵌められ、挟持部材７の外周部の大部分をカバーしている。
【００１１】
符号１１は脚部を示し、この脚部１１は斜め下方へ延びる一対の支脚１５と、この支脚１５の上端部どうしを連結する連結部１３とによって構成されている。この脚部１１の連結部１３にＵ字形の保持部３の下端部が連結されている。
【００１２】
符号１９はベース部を示し、このベース部１９はリング状に構成されている。脚部１１の２つの支脚１５の下端がこのベース部１９に連結されている。
符号２０は滑り止め部材を示し、このベース用滑り止め部材２０はゴム材等の滑り止め機能を有する材料により構成され、４つのベース用滑り止め部材２０が、ベース部１９を構成するフレームに互いに等間隔離れた状態で嵌められている。
【００１３】
草刈機の保持台１の使用方法について説明する。
図１に示すように、草刈機の保持台１を、ベース部１９が地面に接するように地面に設置する。
次に、図３に示すように、草刈機２１の操作棹２３を一対の挟持部材７の間に入れて、基端部側のエンジン２５を地面Ｇに直に置く。
操作棹２３は一対の挟持部材７に挟持されて、草刈機２１は刈刃２７側が斜め上方を向く傾斜姿勢に安定して保持されており、且つ刈刃２７は地面Ｇから離間しているので、刈刃２７が回転しても地面Ｇに当ることはない。従って、エンジン２５がいきなりかかっても草刈機２１が動いてしまうことはない。よって、作業者や周囲にいる者の安全を確保することができる。
【００１４】
保持部３の２つの挟持部材７間の寸法は下方にいくほど小さくなっており、しかも挟持部材７には弾性材９が備えられている。従って、草刈機２１の操作棹２３は２つの挟持部材７間にピッタリ嵌り込んで安定的に止まる。
また、図４に示すように、草刈機２１の操作棹２３は比較的太いので、比較的上方の位置で一対の挟持部材７に挟持されて保持されるが、破線で示すように、細い操作棹２３ａは、比較的下方の位置で２つの挟持部材７に挟持されて保持される。従って、市販されている草刈機の操作棹の太さはまちまちであるが、草刈機の保持台１は操作棹の太さに拘わらず操作棹を確実に挟持することができる。
【００１５】
草刈機２１を使用していると、刈刃２７の一部がどうしても欠けてしまうが、大きく欠けない場合にはそのまま使用することもある。刈刃２７の一部が欠けると刈刃２７の重量バランスが崩れるので、草刈機２１が相当に振動することもあるが、この草刈機の保持台１の挟持部材７には弾性材９が設けられているので、滑り止めと振動の吸収により、草刈機の保持台１が転倒することはない。
また、草刈機２１の操作棹２３は通常アルミ製であるのに対して、草刈機の保持台１のフレーム部材は強度を考慮して鉄製になっている。しかし、ゴム製の弾性材９が設けられているので、草刈機２１のアルミ製操作棹２３が直接鉄製の挟持部材７と接触せず、操作棹２３が傷むことはない。即ち、弾性材９は草刈機２１の操作棹２３を保護する機能も果たしている。
【００１６】
ベース部１９はリング状なので地面Ｇとの接触面積が小さく、地面Ｇに凸凹があっても安定的に設置できる。また、ベース部１９にもベース用滑り止め部材２０が設けられているので、このベース用滑り止め部材２０の滑り止めと振動の吸収機能により、草刈機の保持台１はかなり凹凸のある場所に設置しても転倒することはない。
草刈機の保持台１は草刈機１に装着するものではなく、草刈機１とは別個のものであるので、草刈作業中に邪魔になることはない。
【００１７】
刈刃２７は切れ味が落ちてきた場合にはグラインダーで研磨するが、この研磨作業は通常刈刃２７を草刈機２１から外して行う。刈刃２７を草刈機２１からいちいち外し、研磨終了後に取り付ける作業は思いのほか面倒である。本発明の草刈機の保持台１を用いれば、上記したように一対の挟持部材７によって操作棹２３が挟持され、草刈機２１を傾斜姿勢に安定して保持できる。従って、刈刃２７を草刈機２１に装着したままの状態で研磨することが可能となり、面倒な刈刃２７の着脱作業を行う必要がなくなる。
【００１８】
また、草刈機２１の燃料を入れるタンクはエンジン２５の下側に付いているが、草刈機２１が水平な姿勢となっている状態で、タンクへ燃料を注入すると、タンク内の上部に燃料で満たされない空間ができてしまい、満タンの状態を得にくい。本発明の草刈機の保持台１を用いれば、草刈機２１を傾斜姿勢に保持することができるので、タンクを容易に満タンにすることができる。しかも、燃料をタンクへ注入する作業も行い易くなる。
【００１９】
以上、本発明の実施例について詳述してきたが、具体的構成は、この実施例に限られるものではなく、本発明の要旨を逸脱しない範囲における設計の変更などがあっても発明に含まれる。
例えば、ベース部はリング状に限定されない。また、保持部３、脚部１１及びベース部９材は鉄製に限定されない。
【産業上の利用可能性】
【００２０】
草刈機を使用して作業する場合には、通常、何人かと一緒にグループ作業をしていることもあるが、その中に未熟な作業者が含まれていると、危険判断がとっさにできないので事故が起こり易い。
しかしながら、本発明の草刈機の保持台を使用することで、事故を未然に防ぐことができる。
【図面の簡単な説明】
【００２１】
【図１】本発明の実施の形態に係る草刈機の保持台の使用方法の説明図である。
【図２】図１に示す草刈機の保持台の斜視図である。
【図３】図１に示す草刈機の保持台の上面図である。
【図４】図１に示す草刈機の保持台の側面図である。
【符号の説明】
【００２２】
１    草刈機の保持台                  ３    Ｕ字形保持部
９    弾性材                        １１    脚部
１９    ベース部                      ２０    ベース用滑り止め部材
２１    草刈機                        ２３    操作棹
２５    エンジン                      ２７    刈刃
【図１】
2006075004.tif 000003
【図２】
2006075004.tif 000004
【図３】
2006075004.tif 000005
【図４】
2006075004.tif 000006